(57)【要約】【課題】遊技が単調になることを防止して、遊技の健全性を保ちつつ遊技者に遊技媒体の大量獲得を期待させることができる遊技機を提供する。【解決手段】通常状態において第１ビックボーナス（ＢＢ１）及び第２ビックボーナス（ＢＢ２）の当否を決定する抽選を行っており、抽選によって当選したＢＢ１の入賞に基づいて遊技状態を第１ビックボーナス状態（ＢＢ１状態）に移行させ、抽選によって当選したＢＢ２の入賞に基づいて遊技状態を第２ビックボーナス状態（ＢＢ２状態）に移行させる。ＢＢ１状態では、通常状態に比べて遊技者が不利な一般状態を経由して通常状態及び一般状態に比べて遊技者が有利なチャレンジボーナス（ＣＢ状態）へ移行させてチャレンジボーナス（ＣＢ）を単独作動させる。ＢＢ２状態では、一般状態を経由せずにＣＢ状態へ移行させてＣＢを連続作動させる。【選択図】図３
2010227694.tif 000002
【特許請求の範囲】
【請求項１】
外周面に複数種類の図柄が配列されている複数のリールと、
リプレイ、小役、レギュラーボーナス、およびビッグボーナスを含む複数種類の役の当否を決定する抽選を行う抽選手段と、
前記複数のリールの回転及び停止の契機となる操作を行うための操作手段と、
前記操作手段への停止操作に基づいて、回転している前記複数のリールを前記役の当否に応じて停止させる制御を行うリール停止制御手段と、
前記複数のリールが停止した状態において、有効ライン上に停止している図柄の組合せが、役毎に予め定められた入賞の形態であるか否かを判定する入賞判定手段と、
前記リプレイの入賞に基づいて遊技者の所有する遊技媒体を要さずに次回の遊技を行わせるリプレイ処理を行うリプレイ処理手段と、
前記小役の入賞に基づいて遊技媒体の払い出しに関する制御を行う払出制御手段と、
通常状態、レギュラーボーナス状態、およびビッグボーナス状態を含む複数種類の遊技状態の間で遊技状態を移行させ、前記レギュラーボーナスの入賞に基づいて遊技状態をレギュラーボーナス状態に移行させ、前記ビッグボーナスの入賞に基づいて遊技状態をビッグボーナス状態に移行させる制御を行う遊技状態移行制御手段とを備えた遊技機であって、
前記抽選手段が、
前記ビッグボーナスが当選すると、当該ビッグボーナスが入賞するまで当該ビッグボーナスが当選した状態を維持し、前記レギュラーボーナスが当選すると、当該レギュラーボーナスが入賞するまで当該レギュラーボーナスが当選した状態を維持し、
前記遊技状態移行制御手段が、
前記ビッグボーナス状態では、抽選で前記レギュラーボーナスの当否が決定される第１遊技状態を経由して前記小役の入賞率が前記通常状態よりも高い第２遊技状態へ移行させ、第１遊技状態において前記レギュラーボーナスに当選したことに基づいて第１遊技状態を終了させるとともに、前記リプレイの当選確率を上昇させることを特徴とする遊技機。
【請求項２】
請求項１において、
前記抽選手段が、
前記ビッグボーナス状態における第１遊技状態では、前記通常状態と同じ当選確率で前記小役の当否を決定するとともに、前記通常状態よりも低い確率で前記リプレイの当否を決定する抽選を行うことを特徴とする遊技機。
【請求項３】
請求項１または２において、
前記抽選で当選した小役の種類および前記抽選で当選した小役の入賞に要する停止操作の態様の少なくとも一方を報知するアシストタイム状態を所定条件下で設定する手段を含むことを特徴とする遊技機。
【発明の詳細な説明】
【技術分野】
【０００１】
本発明は、遊技機に関する。
【背景技術】
【０００２】
従来から外周面に図柄が配列された複数のリールを備えた遊技機（回胴遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の操作に基づいて抽選を行って、抽選結果に基づいて遊技結果をリールに配列された図柄の組合せを用いて表示するとともに、遊技結果に応じてメダル等の払い出しなどを行う機能を備えている。
【０００３】
従来では、遊技の健全性を担保するために、メダル等を大量に獲得できるボーナス遊技を行わせるビックボーナスの抽選確率に上限が設ける規制が存在していた。しかし、ビックボーナスに当選してもその入賞を保留して、ある一定のボーナス放出条件の成立に基づいて保留していたビックボーナスの入賞を許可するストック機能を備えた遊技機が開発され、近年、遊技者の間で人気を博している。このようなストック機能を備えた遊技機は、ビックボーナスの抽選確率を上昇させることなく、短期間で爆発的にメダル等を大量に獲得できるものであるが、その射幸性の高さから、現在では採用が禁じられている。
【０００４】
またストック機能の採用を禁止する規制に伴って、現在ではビックボーナスの抽選確率の上限を定めていた規制が撤廃されている。しかしながら、入賞に伴いメダルが大量に獲得できるビックボーナスを高確率で抽選すると、ストック機能などのメダル等を短期間で大量に獲得させるような機種を禁じることとした上記規制の趣旨に反することとなるため、現実には従来と変わらないような当選確率でビックボーナスを抽選する機種しか開発されておらず、機種間の個性が失われつつあることが懸念されている。
【先行技術文献】
【特許文献】
【０００５】
【特許文献１】特開２００１−１０４５４３号公報
【発明の概要】
【発明が解決しようとする課題】
【０００６】
このため、遊技機メーカーでは、これらの規制を遵守しつつ遊技者にとって魅力的な遊技機の開発を進めているが、遊技者にとってはメダル等を大量に獲得することが最大の関心事であるため、このような規制の下で提供される遊技機では、遊技が画一的で単調なものとなって遊技者の関心を十分に惹きつけることが難しい。
【０００７】
本発明は上記事情に鑑みてなされたものであり、その目的は、遊技が単調になることを防止して、遊技の健全性を保ちつつ遊技者に遊技媒体の大量獲得を期待させることができる遊技機を提供することにある。
【課題を解決するための手段】
【０００８】
（１）本発明は、外周面に複数種類の図柄が配列されている複数のリールと、リプレイ、小役、レギュラーボーナス、およびビッグボーナスを含む複数種類の役の当否を決定する抽選を行う抽選手段と、前記複数のリールの回転及び停止の契機となる操作を行うための操作手段と、前記操作手段への停止操作に基づいて、回転している前記複数のリールを前記役の当否に応じて停止させる制御を行うリール停止制御手段と、前記複数のリールが停止した状態において、有効ライン上に停止している図柄の組合せが、役毎に予め定められた入賞の形態であるか否かを判定する入賞判定手段と、前記リプレイの入賞に基づいて遊技者の所有する遊技媒体を要さずに次回の遊技を行わせるリプレイ処理を行うリプレイ処理手段と、前記小役の入賞に基づいて遊技媒体の払い出しに関する制御を行う払出制御手段と、通常状態、レギュラーボーナス状態、およびビッグボーナス状態を含む複数種類の遊技状態の間で遊技状態を移行させ、前記レギュラーボーナスの入賞に基づいて遊技状態をレギュラーボーナス状態に移行させ、前記ビッグボーナスの入賞に基づいて遊技状態をビッグボーナス状態に移行させる制御を行う遊技状態移行制御手段とを備えた遊技機であって、前記抽選手段が、前記ビッグボーナスが当選すると、当該ビッグボーナスが入賞するまで当該ビッグボーナスが当選した状態を維持し、前記レギュラーボーナスが当選すると、当該レギュラーボーナスが入賞するまで当該レギュラーボーナスが当選した状態を維持し、前記遊技状態移行制御手段が、前記ビッグボーナス状態では、抽選で前記レギュラーボーナスの当否が決定される第１遊技状態を経由して前記小役の入賞率が前記通常状態よりも高い第２遊技状態へ移行させ、第１遊技状態において前記レギュラーボーナスに当選したことに基づいて第１遊技状態を終了させるとともに、前記リプレイの当選確率を上昇させる遊技機に関するものである。
【０００９】
（２）本発明の遊技機では、前記抽選手段が、前記ビッグボーナス状態における第１遊技状態では、前記通常状態と同じ当選確率で前記小役の当否を決定するとともに、前記通常状態よりも低い確率で前記リプレイの当否を決定する抽選を行うようにしてもよい。
【００１０】
（３）本発明の遊技機では、前記抽選で当選した小役の種類および前記抽選で当選した小役の入賞に要する停止操作の態様の少なくとも一方を報知するアシストタイム状態を所定条件下で設定する手段を含むようにしてもよい。
【００１１】
（Ａ）また上記課題を解決する例として、遊技毎に乱数を用いて役の当否を決定する抽選を行う抽選手段と、遊技結果に応じて通常状態、第１特別状態、及び第２特別状態を含む複数の遊技状態間の状態移行を制御する遊技状態移行制御手段とを備え、前記抽選手段が、前記通常状態において第１特別役及び第２特別役を含む複数の役の当否を決定する抽選を行い、前記遊技状態移行制御手段が、前記抽選によって当選した第１特別役の入賞に基づいて遊技状態を前記第１特別状態に移行させ、前記抽選によって当選した第２特別役の入賞に基づいて遊技状態を前記第２特別状態に移行させる制御を行い、前記第１特別状態では、通常状態に比べて遊技者が不利な第１遊技状態を経由して通常状態及び第１遊技状態に比べて遊技者が有利な第２遊技状態へ移行させる制御を行い、前記第２特別状態では、前記第１遊技状態を経由せずに前記第２遊技状態へ移行させる制御を行うようにしてもよい。
【００１２】
本態様において「遊技結果」には、抽選による役の当選の有無、当選した役の入賞の有無、リールの停止状態、遊技の回数などが含まれる。
【００１３】
このようにすれば、通常状態において第１特別状態のへの移行契機となる第１特別役及び第２特別状態への移行契機となる第２特別役の抽選を行っており、これらの特別役の入賞に伴い、いずれかの特別状態へ遊技状態が振り分けられる。第１特別状態では、通常状態よりも不利になる第１遊技状態を経由してから通常状態よりも有利になる第２遊技状態へ移行し、一方で、第２特別状態では、第１遊技状態を経由せずに第２遊技状態へ移行するようにしている。このため本発明によれば、第１特別状態を、遊技媒体を消費しやすい遊技区間とし、第２特別状態を、遊技媒体を獲得しやすい遊技区間として設定することができる。従って本発明によれば、これらの特別状態への移行契機となる第１特別役と第２特別役とを比較的高確率に抽選した場合に、通常状態を第１及び第２特別役の高確率当選区間として設定することができる。そして、通常状態を第１及び第２特別役の高確率当選区間として設定したとしても、本発明の遊技機では、第１特別状態を、遊技媒体を消費しやすい遊技区間とすることによって、遊技の健全性を担保することができる。さらに、本発明の遊技機では、第２特別役に頻繁に当選すれば、遊技媒体の大量獲得の機会があることを遊技者に期待させることができ、遊技者の関心を惹きつけることができるようになる。
【００１４】
（Ｂ）また上記課題を解決する例として、遊技毎に乱数を用いて役の当否を決定する抽選を行う抽選手段と、遊技結果に応じて通常状態、第１特別状態、及び第２特別状態を含む複数の遊技状態間の状態移行を制御する遊技状態移行制御手段とを備え、前記抽選手段が、前記通常状態において第１特別役及び第２特別役を含む複数の役の当否を決定する抽選を行い、前記遊技状態移行制御手段が、前記抽選によって当選した第１特別役の入賞に基づいて遊技状態を前記第１特別状態に移行させ、前記抽選によって当選した第２特別役の入賞に基づいて遊技状態を前記第２特別状態に移行させる制御を行い、前記第１特別状態及び前記第２特別状態では、通常状態に比べて遊技者が不利な第１遊技状態を経由して通常状態及び第１遊技状態よりも遊技者が有利な第２遊技状態へ移行させる制御を所与の移行契機役の入賞に基づいて行い、前記抽選手段が、前記第２特別状態では、前記移行契機役を前記第１特別状態に比べて高い当選確率で抽選するようにしてもよい。
【００１５】
本態様において「遊技結果」には、抽選による役の当選の有無、当選した役の入賞の有無、リールの停止状態、遊技の回数などが含まれる。
【００１６】
このようにすれば、通常状態において第１特別状態のへの移行契機となる第１特別役及び第２特別状態への移行契機となる第２特別役の抽選を行っており、これらの特別役の入賞に伴い、いずれかの特別状態へ遊技状態が振り分けられる。第１及び第２特別状態では、通常状態よりも不利になる第１遊技状態において、通常状態よりも有利になる第２遊技状態への移行契機となる移行契機役の抽選しており、第２特別状態では、第１特別状態よりも移行契機役に当選しやすくなっている。このため本発明によれば、第１特別状態を、遊技媒体を消費しやすい遊技区間とし、第２特別状態を、遊技媒体を獲得しやすい遊技区間として設定することができる。従って本発明によれば、これらの特別状態への移行契機となる第１特別役と第２特別役とを比較的高確率に抽選した場合に、通常状態を第１及び第２特別役の高確率当選区間として設定することができる。そして、通常状態を第１及び第２特別役の高確率当選区間として設定したとしても、本発明の遊技機では、第１特別状態を、遊技媒体を消費しやすい遊技区間とすることによって、遊技の健全性を担保することができる。さらに、本発明の遊技機では、第２特別役に頻繁に当選すれば、遊技媒体の大量獲得の機会があることを遊技者に期待させることができ、遊技者の関心を惹きつけることができるようになる。
【００１７】
（Ｃ）また上記課題を解決する例として、前記抽選手段が、少なくとも前記通常状態及び前記第１特別状態の第１遊技状態において、第３特別役の当否を決定する抽選を行い、前記遊技状態移行制御手段が、前記第１特別状態の第１遊技状態における前記抽選による第３特別役の当選に基づいて前記第１特別状態を終了させ、当選した第３特別役の入賞に基づいて遊技状態を少なくとも前記通常状態に比べて遊技者が有利な第３特別状態へ移行させるとともに、所定回数の遊技又は所定回数の入賞が達成されたことに基づいて前記第３特別状態を終了させて、遊技状態を前記通常状態へ移行させる制御を行うようにしてもよい。
【００１８】
このようにすれば、通常状態において第１特別役に当選して第１特別状態に移行した場合でも、第１特別状態においてその終了契機の一つとなる第３特別役を抽選するようにしたことによって、第３特別状態を経由して早期に通常状態へ遊技状態を復帰させる機会を与えることができる。
【００１９】
（Ｄ）また上記課題を解決する例として、外周面に複数種類の図柄が配列されて回転可能な複数のリールと、前記複数のリールの回転及び停止の契機となる操作を行うための操作手段と、前記操作手段への停止操作に基づいて、回転している前記複数のリールを前記役の当否に応じて停止させる制御を行うリール停止制御手段と、を含み、前記第１特別状態の第２遊技状態では、前記複数のリールのうち少なくとも１以上のリールが無制御状態に設定されるようにしてもよい。
【００２０】
「制御状態」とは、リールの外周面に配列された複数種類の図柄のうち、当選状態にある役に対応づけられた１種類の図柄が有効ラインに優先的に引き込まれる引き込み処理の対象となる状態をいう。一方、「無制御状態」とは、２種類以上の役が抽選結果に関わりなく当選状態とされることに伴って、実質的に引き込み処理が働かなくなる状態をいう。「実質的に」とは、引き込み処理が働きにくい状態をも含むという意味である。また「無制御状態」には、上記に関わらず、「制御状態」に比べてリールの引き込み量が少なくなるように引き込み処理が行われる状態も含み、さらに全く引き込み処理が行われない状態も含む。また「無制御状態」とは、リールを停止させる操作に関して、狙った位置でリールを停止させるためには、正確な目押し操作が必要となる状態であって、「制御状態」とは、リールを停止させる操作に関して、「無制御状態」ほど正確な目押し操作を必要とせずに、狙った位置でリールを停止させることができる状態であるということもできる。
【００２１】
このようにすれば、第１特別状態の第２遊技状態では、遊技者はいわゆる目押し操作を行うことで、狙った位置でリールを停止させることができるようになるため、通常状態よりも遊技媒体の獲得しやすい遊技を行わせることができる。
【００２２】
（Ｅ）また上記課題を解決する例として、前記第１特別状態の第２遊技状態では、入賞に伴い遊技媒体が払い出される役が前記抽選の結果に関わらず当選状態に設定されるようにしてもよい。
【００２３】
このようにすれば、抽選の結果に左右されずに遊技媒体を獲得する機会を得ることができるようになるため、通常状態よりも遊技媒体を獲得しやすい遊技を行わせることができる。
【００２４】
（Ｆ）また上記課題を解決する例として、前記抽選手段が、前記通常状態では、入賞した場合に次回の遊技に際して遊技媒体の投入を不要とする再遊技役を所定の当選確率で抽選し、前記第１特別状態の第１遊技状態では、前記再遊技役を前記通常状態に比べて低い当選確率で抽選する、あるいは前記再遊技役を抽選しないようにしてもよい。
【００２５】
このようにすれば、第１特別状態の第１遊技状態では、通常状態に比べて再遊技役により遊技媒体を消費せずに遊技を行える機会が減少するため、第１特別役の入賞に伴い移行する第１特別状態を、遊技媒体を消費しやすい遊技区間として設定することができる。
【００２６】
（Ｇ）また上記課題を解決する例として、前記抽選手段が、入賞に伴い遊技媒体が払い出される役を、前記通常状態及び前記第１特別状態における第１遊技状態において同じ当選確率で抽選するようにしてもよい。
【００２７】
このようにすれば、第１特別状態の第１遊技状態では、再遊技役の当選機会が減少するだけでなく、通常状態と同じ確率でしかいわゆる小役の当選機会が得られなくなるため、第１特別状態の第１遊技状態を通常状態よりも遊技者にとって不利な遊技状態に設定することができるようになる。
【図面の簡単な説明】
【００２８】
【図１】本実施形態の遊技機の外観構成を示す斜視図である。
【図２】本実施形態の遊技機の機能を説明するためのブロック図である。
【図３】本実施形態の手法を説明するための図である。
【図４】本実施形態の手法で用いる抽選テーブルの例を示す図である。
【図５】本実施形態の遊技機の制御処理例を示すフローチャート図である。
【図６】本実施形態の手法の変形例で用いる抽選テーブルの例を示す図である。
【図７】本実施形態の手法の変形例で用いる抽選テーブルの例を示す図である。
【図８】本実施形態の手法の変形例を説明するための図である。
【発明を実施するための形態】
【００２９】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００３０】
１．構成
図１は、本発明の実施の形態に係る遊技機の外観構成を示す斜視図である。
【００３１】
本実施形態の遊技機は、いわゆるスロットマシンあるいは回胴型遊技機と呼ばれるもので、メダルを遊技媒体として用いた遊技を行う種類の遊技機である。
【００３２】
本実施形態の遊技機は、収納箱ＢＸ、前面上扉ＵＤ、および前面下扉ＤＤからなる箱形の筐体内に第１リールＲ１〜第３リールＲ３からなるリールユニットが収められている。また筐体内のリールユニットの下部には、メダルの払出装置としてのホッパーユニット（図示省略）が収められている。また本実施形態の遊技機の筐体内には、ＣＰＵ、ＲＯＭ、ＲＡＭ等を搭載し、遊技機の動作を制御する制御基板も収められている。
【００３３】
第１リールＲ１〜第３リールＲ３は、図３に示すように、それぞれ外周面が一定の間隔で２１の領域（各領域を「コマ」と称する）に区画されており、各コマに複数種類の図柄のいずれかが配列されている。また第１リールＲ１〜第３リールＲ３は、ステップモータ（リール駆動手段：図示省略）に軸支されており、それぞれステップモータの軸周りに回転可能であって、ステップモータの駆動パルスのパルス数やパルス幅などを制御することによってコマ単位（所定の回転角度単位）で停止可能に設けられている。すなわち本実施形態の遊技機では、ステップモータが制御基板から供給された駆動パルスに応じて第１リールＲ１〜第３リールＲ３を回転駆動し、制御基板から駆動パルスの供給が断たれると、ステップモータの回転が停止することに伴って第１リールＲ１〜第３リールＲ３が停止する。
【００３４】
前面上扉ＵＤと前面下扉ＤＤとは個別に開閉可能に設けられており、前面上扉ＵＤには第１リールＲ１〜第３リールＲ３の回転状態及び停止状態を観察可能にする表示窓ＤＷが設けられている。第１リールＲ１〜第３リールＲ３の停止状態では、第１リールＲ１〜第３リールＲ３それぞれの外周面に一定間隔で配列された複数種類の図柄のうち３個分（３コマ分）の図柄を遊技機の正面から表示窓ＤＷを通じて観察できるようになっている。各リールＲ１〜Ｒ３の停止状態において、表示窓ＤＷから観察される図柄は、５本の有効ラインＬ１〜Ｌ５上のいずれかの位置に停止表示される。遊技者の遊技結果は表示窓ＤＷ内に停止表示された図柄の組合せによって判断され、有効ライン上の図柄の組合せが予め定められた役に対応した組合せである場合には、その役が入賞したものとしてホッパーユニットからメダルの払い出し等が行われる。
【００３５】
なお５本の有効ラインＬ１〜Ｌ５は、メダルの投入枚数（ベット数）に応じて有効化されるラインが決定される。本実施形態の遊技機では、１回の遊技に関して１枚〜３枚の範囲でメダルを投入可能とされており、前面下扉ＤＤに設けられたメダル投入口ＭＩへ１枚のメダルを投入した場合、１本の有効ラインＬ１が有効化され、メダル投入口ＭＩへ２枚のメダルを投入した場合、３本の有効ラインＬ１〜Ｌ３が有効化され、メダル投入口ＭＩへ３枚のメダルを投入した場合、５本の有効ラインＬ１〜Ｌ５が全て有効化される。
【００３６】
また前面上扉ＵＤには、遊技情報表示部ＤＳが設けられている。遊技情報表示部ＤＳは、ＬＥＤ、ランプ、７セグメント表示器等からなり、メダルの貯留枚数（クレジット）、１回の遊技におけるメダルの払出枚数（又は獲得枚数）、ボーナス遊技の残り回数等の各種遊技情報が表示される。
【００３７】
また前面上扉ＵＤには、遊技演出を行うための液晶ディスプレイＬＣＤが設けられている。この液晶ディスプレイＬＣＤには、遊技を補助したり、遊技を盛り上げたりするための各種の映像（または画像）が表示される。また本実施形態の遊技機では、前面上扉ＵＤや前面下扉ＤＤに対して、遊技演出を行うためのスピーカが複数設けられている。このスピーカからは、遊技を補助したり、遊技を盛り上げたりするための各種の音声が出力される。
【００３８】
また前面下扉ＤＤには、各種の操作手段が設けられている。操作手段としては、貯留されたメダルを投入状態にする操作を行うためのベットボタンＢ０、第１リールＲ１〜第３リールＲ３を回転させて遊技を開始する契機となる操作を行うためのスタートレバーＳＬ、回転している複数のリールＲ１〜Ｒ３のそれぞれを停止させる契機となる操作を行うためのストップボタンＢ１〜Ｂ３が設けられている。
【００３９】
本実施形態の遊技機では、遊技者がメダルをメダル投入口ＭＩに投入するか、ベットボタンＢ０を押下する操作を行うことで、遊技を開始することが可能な準備状態にセットされる。そして、遊技者がスタートレバーＳＬを押下すると、第１リールＲ１〜第３リールＲ３がステップモータの駆動により回転を開始し、第１リールＲ１〜第３リールＲ３の回転速度が所定の速度まで上昇し、かつ所定の待機時間（ウェイトタイム）を経過したことを条件に、ストップボタンＢ１〜Ｂ３の押下操作が許可される。その後、遊技者が任意のタイミングでストップボタンＢ１〜Ｂ３を押下していくと、その押下タイミングに応じて第１リールＲ１〜第３リールＲ３が停止する。
【００４０】
また前面下扉ＤＤの下部には、メダル払い出し口ＭＯとメダル受け皿ＭＰとが設けられており、遊技の結果に応じた枚数のメダルがメダル払い出し口ＭＯからメダル受け皿ＭＰへ払い出される。
【００４１】
図２は、本実施形態の遊技機の機能ブロック図である。
【００４２】
本実施形態の遊技機は、遊技制御手段１００によって制御される。遊技制御手段１００は、メダル投入スイッチ２１０、ベットスイッチ２２０、スタートスイッチ２３０、ストップスイッチ２４０等の入力手段からの入力信号を受けて、遊技を実行するための各種の演算を行い、演算結果に基づいてリールユニット３１０、払出装置（ホッパーユニット）３２０、表示装置３３０、スピーカ３４０等の出力手段の動作制御を行う。遊技制御手段１００の機能は各種のプロセッサ（ＣＰＵ、ＤＳＰなど）、ＡＳＩＣ（ゲートアレイなど）、ＲＯＭ、あるいはＲＡＭなどのハードウェアや、所与のプログラムからなるソフトウェアにより実現される。
【００４３】
そして遊技制御手段１００は、乱数発生手段１１０、抽選手段１２０、リール停止制御手段１３０、入賞判定手段１４０、払出制御手段１５０、リプレイ処理手段１６０、遊技状態移行制御手段１７０、演出制御手段１８０、記憶手段１９０を含む。
【００４４】
乱数発生手段１１０は、抽選用の乱数値を発生させる手段である。乱数値は、例えば、インクリメントカウンタ（所定のカウント範囲を循環するように数値をカウントするカウンタ）のカウント値に基づいて発生させることができる。なお本実施形態において「乱数値」には、数学的な意味でランダムに発生する値のみならず、その発生自体は規則的であっても、その取得タイミング等が不規則であるために実質的に乱数として機能しうる値も含まれる。
【００４５】
抽選手段１２０は、遊技者がスタートレバーＳＬを押下することで作動するスタートスイッチ２１０からの遊技スタート信号に基づいて役の当否を決定するための抽選を行う手段であって、抽選テーブル選択処理、乱数判定処理、フラグ設定処理などを行う。
【００４６】
抽選テーブル選択処理では、記憶手段１９０の抽選テーブル記憶手段１９２に格納されている複数の抽選テーブルのうち、いずれの抽選テーブルを用いて抽選を行うかを決定する。本実施形態の遊技機では、通常状態、第１ビックボーナス状態（ＢＢ１状態：第１特別状態）、第２ビックボーナス状態（ＢＢ２状態：第２特別状態）、レギュラーボーナス状態（ＲＢ状態：第３特別状態）等の複数種類の遊技状態が設定可能とされており、記憶手段１９０には、各遊技状態における抽選のための抽選テーブルが記憶されている。そして各遊技状態用の抽選テーブルでは、複数の乱数値（例えば、０〜６５５３５の６５５３６個の乱数値）のそれぞれに対して再遊技役（リプレイ）、小役（入賞に伴い所定枚数のメダルが払い出される役）、第１ビックボーナス（ＢＢ１：第１特別役）、第２ビックボーナス（ＢＢ２：第２特別役）、レギュラーボーナス（ＲＢ：第３特別役）などの各種の役もしくはハズレのいずれかが対応づけられている。
【００４７】
乱数判定処理（いわゆる内部抽選）では、スタートスイッチ２１０からの遊技スタート信号に基づいて遊技毎に乱数発生手段１１２から乱数値（抽選用乱数）を取得し、取得した乱数値について記憶手段１９０の抽選テーブル記憶手段１９２に記憶されている抽選テーブルを参照して役に当選したか否かを判定する。
【００４８】
フラグ設定処理では、乱数判定の結果に基づいて、当選したと判定された役のフラグを非内部当選状態（第１のフラグ状態、オフ状態）から内部当選状態（第２のフラグ状態、オン状態）に設定する。フラグの設定情報は、記憶手段１９０のフラグ記憶手段１９４に格納される。また本実施形態では、入賞するまで次回以降の遊技に内部当選状態を持ち越し可能なフラグ（持越可能フラグ）と、入賞の如何に関わらず次回以降の遊技に内部当選状態を持ち越さずに非内部当選状態にリセットされるフラグ（持越不可フラグ）とが用意されている。前者のフラグが対応づけられる役としては、第１ビックボーナス（ＢＢ１：第１特別役）、第２ビックボーナス（ＢＢ２：第２特別役）、及びレギュラーボーナス（ＲＢ：第３特別役）があり、それ以外の役（例えば、小役、リプレイ等）は後者のフラグに対応づけられている。
【００４９】
リール停止制御手段１３０は、遊技者がストップボタンＢ１〜Ｂ３（操作手段）を押下（停止操作）することにより作動するストップスイッチ２４０からのリール停止信号に基づいて、回転している第１リールＲ１〜第３リールＲ３をフラグの設定状態に応じて停止させる停止制御を行う。本実施形態の遊技機では、記憶手段１９０の停止制御テーブル記憶手段１９６に記憶されている停止制御テーブルを参照して停止制御を行うテーブル方式を採用している。具体的には、停止制御テーブルを参照してストップボタンＢ１〜Ｂ３の押下タイミング等（停止操作の態様）に応じた第１リールＲ１〜第３リールＲ３の停止位置を決定し、決定された停止位置で第１リールＲ１〜第３リールＲ３が停止するようにリールユニット３１０のステップモータへの駆動パルスの供給を停止することによりリールの停止制御が行われる。
【００５０】
またリール停止制御手段１３０は、いわゆる引き込み処理と蹴飛ばし処理とをリールを停止させる制御として行っている。引き込み処理とは、フラグが内部当選状態に設定された役に対応する図柄が有効ライン上に停止するように（当選した役を入賞させることができるように）リールを停止させる制御処理である。一方蹴飛ばし処理とは、フラグが非内部当選状態に設定された役に対応する図柄が有効ライン上に停止しないように（当選していない役を入賞させることができないように）リールを停止させる制御処理である。すなわち本実施形態の遊技機では、上記引き込み処理及び蹴飛ばし処理を実現させるべく、フラグの設定状態、ストップボタンＢ１〜Ｂ３の押下タイミングや押下順序、既に停止しているリールの停止位置（あるいは有効ラインＬ１〜Ｌ５上に停止している図柄の種類）に応じて各リールの停止位置が変化するように停止制御テーブルが設定されている。このようにリール停止制御手段１３０は、フラグが内部当選状態に設定された役の図柄を入賞の形態で停止可能にし、一方でフラグが非内部当選状態に設定された役の図柄が入賞の形態で停止しないように第１リールＲ１〜第３リールＲ３を停止させる停止制御を行っている。
【００５１】
なお本実施の形態では、ある特定の役に対応する図柄が他の図柄に優先して引き込み処理の対象となる状態を制御状態と呼ぶことにする。この場合、抽選の結果によって、ある特定の役のみが内部当選状態になることにより、その役に対応する図柄が他の図柄に優先して引き込み処理の対象となる場合、および抽選の結果に関わらず複数の役が内部当選状態に設定されるが、内部当選状態にされた複数の役の中のある特定の役に対応する図柄が内部当選状態に設定された他の役に対応する図柄に優先して引き込み処理の対象となる場合のいずれの場合も本実施形態でいう制御状態に含まれるものとする。
【００５２】
入賞判定手段１４０は、第１リールＲ１〜第３リールＲ３の停止状態に基づいて、役が入賞したか否かを判定する処理を行う。具体的には、第１リールＲ１〜第３リールＲ３の全てが停止した際に、記憶手段１９０の入賞判定テーブル記憶手段１９８に記憶されている入賞判定テーブルを参照しながら、各リールの停止状態によって有効ライン上に停止している図柄の組合せが、予め定められた役の入賞の形態であるか否かを判定する。
【００５３】
そして本実施形態の遊技機では、入賞判定手段１４０の判定結果に基づいて、メダルの払出をするための制御、リプレイ処理、遊技状態を移行させる制御のいずれを行うかが決定される。例えば、小役が入賞した場合には払出制御手段１５０によりメダルの払出制御が行われ、リプレイが入賞した場合には、リプレイ処理手段１６０によりリプレイ処理が行われ、ＢＢ１、ＢＢ２、ＲＢ等が入賞した場合には遊技状態移行制御手段１７０により遊技状態を移行させる制御が行われる。
【００５４】
払出制御手段１５０は、遊技結果に応じたメダルの払い出しに関する制御を行う。具体的には、何らかの役に入賞した場合に、入賞役に対応するメダルの払出枚数をホッパーユニット３２０（払出装置）に対して指示する制御を行う。ホッパーユニット３２０は、指示された払出枚数のメダルを払い出す動作を行う。なおメダルの貯留（クレジット）が許可されている場合には、メダルの払い出しを行う代わりに記憶手段１９０の図示しない貯留メダル枚数記憶領域に記憶されている貯留メダル枚数に対して払出枚数を加算する処理（クレジット処理）を行う。
【００５５】
リプレイ処理手段１６０は、リプレイ（再遊技役）が入賞した場合に、次回の遊技に関してメダルの投入を要さずに前回の遊技と同じ準備状態に設定するリプレイ処理（再遊技処理）を行う。すなわち本実施形態の遊技機では、リプレイが入賞した場合、自動的に前回の遊技と同じ有効ラインを有効化した状態で次回の遊技の開始操作（遊技者によるスタートレバーＳＬの押下操作）を待機する。
【００５６】
遊技状態移行制御手段１７０は、所定の移行条件の成立に基づいて、通常状態、第１ビックボーナス状態（ＢＢ１状態：第１特別状態）、第２ビックボーナス状態（ＢＢ２状態：第２特別状態）、レギュラーボーナス状態（ＲＢ状態：第３特別状態）等の複数種類の遊技状態の間で遊技状態を移行させる制御を行う。遊技状態の移行条件は、１の条件が定められていてもよいし、複数の条件が定められていてもよい。複数の条件が定められている場合には、複数の条件のうち、１の条件が成立したことに基づいて、遊技状態を別の遊技状態へ移行させることができる。遊技状態を移行させる際には、記憶手段１９０の抽選テーブル記憶手段１９２に記憶されている抽選テーブルの切り替えを行う。また移行先の遊技状態に応じて停止制御テーブル記憶手段１９６に記憶されている停止制御テーブルや入賞判定テーブル記憶手段１９８に記憶されている入賞判定テーブルを切り替えるようにしてもよい。
【００５７】
ＢＢ１状態は、通常状態から移行する遊技状態であって、通常状態において第１ビックボーナス（ＢＢ１）に内部当選した場合に、所定の第１ビックボーナス図柄（ＢＢ１図柄：第１特別役図柄）を入賞の形態で停止させたことを開始条件とする遊技状態である。またＢＢ１状態は、そのボーナス遊技において所定枚数（２５３枚以下の予め定められた枚数）を超えるメダルが払い出されたこと、あるいはレギュラーボーナス（ＲＢ：第３特別役）に当選したことを終了条件とし、その終了条件のいずれかが満たされた場合には遊技状態を通常状態（ＲＢの入賞を待機する状態を含む）へ移行（復帰）させる制御が行われる。
【００５８】
そしてＢＢ１状態のボーナス遊技は、まず一般ボーナス遊技状態（一般状態：第１遊技状態）から開始され、一般状態においては、抽選手段１２０によりチャレンジボーナス（ＣＢ：移行契機役）及び小役の当否を決定する抽選が行われている。ただし、一般状態ではリプレイ（再遊技役）の抽選は行っていない。すなわち一般状態は、リプレイの当選機会が得られない分だけ通常状態に比べて遊技者にとって不利な遊技状態となっている。そして一般状態の遊技中にＣＢに当選して、チャレンジボーナス図柄（ＣＢ図柄：移行契機図柄）を入賞の形態で停止させると、ボーナス遊技の遊技状態が一般状態からチャレンジボーナス状態（ＣＢ状態：第２遊技状態）へ移行させる制御が行われる。またＢＢ１状態では、一般状態及びＣＢ状態のいずれにおいてもレギュラーボーナス（ＲＢ：第３特別役）の抽選が行われており、一般状態あるいはＣＢ状態の遊技中にＲＢに当選すると、遊技状態を通常状態（ここではＲＢの入賞待機状態）に復帰させる制御が行われる。
【００５９】
ＣＢ状態では、小役のフラグが抽選手段１２０の抽選の結果に関わらずに内部当選状態に設定されるとともに、第１リールＲ１〜第３リールＲ３の少なくとも１以上のリールが無制御状態に設定されるチャレンジボーナス遊技が１回に限り行うことができる。すなわちＣＢ状態は、抽選結果に関わらず小役のフラグが内部当選状態になることにより通常状態よりも小役を入賞させやすいため、通常状態に比べてメダルが獲得しやすくなっており、遊技者にとって通常状態よりも有利な遊技状態となっている。
【００６０】
ＣＢ状態では、例えば、小役として払出枚数あるいは入賞の形態が異なる複数種類の小役が用意されている場合には、停止制御テーブルにおいて引き込み処理の対象について小役間で優先度をつけなければ、各小役が均等に引き込み処理の対象となることによって所与のリールを実質的な無制御状態に設定することができる。なお、全てのリールが無制御状態に設定されてもよいし、一部のリールが無制御状態で残りのリールが制御状態に設定されてもよい。この場合、無制御状態に設定されたリール以外の残りのリールを制御状態に設定する手法としては、例えば、複数種類の小役が用意されている場合に、特定の小役を他の小役に優先して引き込み処理の対象となるように停止制御テーブルを用意しておく手法が考えられる。
【００６１】
ＢＢ２状態は、ＢＢ１状態と同じように通常状態から移行する遊技状態であって、通常状態において第２ビックボーナス（ＢＢ２：第２特別役）に内部当選した場合に、所定の第２ビックボーナス図柄（ＢＢ２図柄：第２特別役図柄）を入賞の形態で停止させたことを開始条件とする遊技状態である。またＢＢ２状態は、そのボーナス遊技において所定枚数（２５３枚以下の予め定められた枚数）を超えるメダルが払い出されたことを終了条件とし、その終了条件が満たされた場合には遊技状態を通常状態へ復帰させる制御が行われる。
【００６２】
そしてＢＢ２状態のボーナス遊技では、ＢＢ１状態と異なり、一般状態を経由せずに、ＣＢ状態へ移行し、所定枚数を超えるメダルが払い出されるまで、ＣＢ状態が継続するように制御される。すなわちＢＢ２状態では、チャレンジボーナス（ＣＢ：移行契機役）がＢＢ２の入賞に伴って連続作動する遊技状態である。このようにＢＢ２状態は、小役が入賞させやすいＣＢ状態が継続するので、短期間で多くのメダルを獲得しやすくなっており、通常状態やＢＢ１状態よりも遊技者にとって有利な遊技状態となっている。
【００６３】
なおＢＢ２状態においても、レギュラーボーナス（ＲＢ：第３特別役）の抽選を行っており、ＢＢ２状態（ＣＢが連続作動している状態）での遊技中にＲＢに当選すると、遊技状態を通常状態（ここではＲＢの入賞待機状態）に復帰させる制御が行われる。すなわちＢＢ２状態に移行しても抽選でＲＢに当選してしまった場合には、所定枚数のメダルが払い出されていなくてもＢＢ２状態が終了するように制御される。
【００６４】
ＲＢ状態は、通常状態、ＢＢ１状態、及びＢＢ２状態においてレギュラーボーナス（ＲＢ：第３特別役）に内部当選した場合に、所定のレギュラーボーナス図柄（ＲＢ図柄：第３特別役図柄）を入賞の形態で停止させたことを開始条件とする遊技状態である。またＲＢ状態は、そのボーナス遊技において所定回数（１２回）の遊技あるいは所定回数（８回）の入賞が達成されたことを終了条件とし、その終了条件が満たされた場合には遊技状態を通常状態へ復帰させる制御が行われる。すなわち本実施形態の遊技機では、ＲＢの当選がＢＢ１状態及びＢＢ２状態の強制終了条件となっている。
【００６５】
そしてＲＢ状態でのボーナス遊技では、小役の種類や小役の入賞率が上昇したボーナス遊技が終了条件を満たすまで行われる。すなわちＲＢ状態では、通常状態よりもメダルを獲得しやすくなっており遊技者にとって有利な遊技状態となっている。
【００６６】
演出制御手段１８０は、ランプ、ＬＥＤ、液晶ディスプレイ等の表示装置３３０を用いて行う表示演出やスピーカ３４０から出力される音による音演出に関する制御を行う。具体的には、メダルの投入やベットボタンＢ０、スタートレバーＳＬ、ストップボタンＢ１〜Ｂ３に対する操作などの遊技イベントの発生に応じてランプやＬＥＤを点灯あるいは点滅させたり、液晶ディスプレイＬＣＤの表示内容を変化させたり、スピーカ３４０から音を出力させたりすることにより、遊技を盛り上げたり、遊技を補助するための演出制御を行う。
【００６７】
なお本実施形態の機能ブロック構成は、コンピュータシステム（ゲームシステムを含む）に関しても適用することができる。これらのシステムでは、本実施形態の遊技制御手段１００としてコンピュータを機能させるプログラムを、ＣＤ、ＤＶＤ等の情報記憶媒体あるいはインターネット上のＷｅｂサーバからネットワークを介してダウンロードすることによって、その機能を実現することができる。また上記コンピュータシステムでは、メダル投入スイッチ２１０、ベットスイッチ２２０、スタートスイッチ２３０、ストップスイッチ２４０等は、キーボードやポインティングデバイス（マウス等）、あるいはコントローラなどの操作手段に対してそれらの機能を仮想的に割り当てることにより実現することができる。また上記コンピュータシステムでは、リールユニット３１０やホッパーユニット３２０などは必須の構成要件ではなく、これらの装置ユニットは、ディスプレイ（表示装置３３０）に表示出力される画像の制御によってそれらの機能を仮想的に実現することができる。
【００６８】
２．本実施形態の手法
次に、図３〜図８を参照しながら、本実施形態の遊技機で採用されている制御手法を具体的に説明する。
【００６９】
まず本実施形態の制御手法では、図３に示すように、通常状態では、第１ビックボーナス（ＢＢ１）、第２ビックボーナス（ＢＢ２）、レギュラーボーナス（ＲＢ）を抽選しており、抽選の結果、ＢＢ１に当選した場合には、ＢＢ１のフラグが内部当選状態に設定されたＢＢ１入賞待機状態に移行し、ＢＢ２に当選した場合には、ＢＢ２のフラグが内部当選状態に設定されたＢＢ２入賞待機状態に移行し、ＲＢに当選した場合には、ＲＢ入賞待機状態に移行する。なお各ボーナスの入賞待機状態では、内部当選状態のフラグに対応づけられたボーナス以外のボーナスは、抽選されないように抽選テーブルが切り替えられる。なお抽選テーブルを切り替える代わりに、いずれかのボーナスが内部当選状態になったら、当選したボーナスが入賞して消化されるまでは、他のボーナスに当選しても、その当選を無効化するようにしてもよい。
【００７０】
また本実施形態の手法において、通常状態では、図４（Ａ）に示すような抽選テーブルを使用して抽選を行っており、ＢＢ１とＢＢ２とが高確率で当選するようになっている。すなわち通常状態においてＢＢ１とＢＢ２とを高確率に抽選することにより、通常状態をビックボーナス（ＢＢ）の高確率当選区間として設定する手法を採用している。ＢＢ１とＢＢ２との当選確率は、例えば、ＢＢ２状態での平均獲得枚数（いわゆるＴＹ）に応じて設定されている。例えば、ＴＹを２００枚とした場合、ＢＢ２状態の終了条件となるメダルの払出枚数が２５０枚〜２５３枚程度に設定され、ＢＢ１の当選確率を１／１６．３８４、ＢＢ２の当選確率を１／１６．３８４とすることができる。また例えば、ＴＹを１０７枚とした場合、ＢＢ２状態の終了条件となるメダルの払出枚数が１３０枚〜１４０枚程度に設定され、ＢＢ１の当選確率を１／１６．３８４、ＢＢ２の当選確率を１／８．７３８とすることができる。また例えば、ＴＹを４７枚とした場合、ＢＢ２状態の終了条件となるメダルの払出枚数が６０枚程度に設定され、ＢＢ１の当選確率を１／１６．３８４、ＢＢ２の当選確率を１／３．５４２とすることができる。すなわちＢＢ２状態での平均獲得枚数が大きいほどＢＢ２の当選確率がＢＢ１の当選確率に比べて低くなるように設定することが好ましい。
【００７１】
そして本実施形態の手法では、ＢＢ１、ＢＢ２、及びＲＢのフラグは、当選した遊技で入賞を逃しても次回以降の遊技にフラグの内部当選状態が持ち越される種類のフラグ（持越可能フラグ）であるため、ＢＢ１及びＢＢ２に当選した場合には、ＢＢ１及びＢＢ２にいずれは入賞することになる。そして、ＢＢ１が入賞すると第１ビックボーナス状態（ＢＢ１状態）に移行し、ＢＢ２が入賞すると第２ビックボーナス状態（ＢＢ２状態）に移行する。なおＢＢ１、ＢＢ２、ＲＢに当選した遊技において各ボーナスを入賞させた場合には、各ボーナスの入賞待機状態を経由せずに直接ＢＢ１状態、ＢＢ２状態、ＲＢ状態に移行するように制御される。
【００７２】
ここで本実施形態の手法では、ＢＢ１状態では、ＢＢ１の入賞に伴い遊技状態が一般状態へ移行する。一般状態では、図４（Ｂ）に示すような抽選テーブルを使用して抽選を行っており、通常状態とは異なり、チャレンジボーナス（ＣＢ）の抽選を行うようになる。この一般状態の抽選テーブルにおいて特徴的な点としては、まず通常状態の場合とは異なりリプレイを抽選しておらず、小役（小役Ａ，小役Ｂ）の当選確率が通常状態と同じ当選確率に設定されている点である。本実施形態では、このような特徴を有していることにより、一般状態ではリプレイの当選機会を失う分だけ、メダルを消費しやすくなっており、遊技者にとっては不利な遊技状態に設定することができる。
【００７３】
またＢＢ１状態では、一般状態でＣＢに当選することによりＣＢを入賞させることができれば、チャレンジボーナス状態（ＣＢ状態）に移行させることができる。しかしながら、ＣＢは、当選した遊技において入賞を逃すと、フラグがリセットされてしまい、次回以降の遊技にフラグの内部当選状態を持ち越すことができない種類のフラグ（持越不可フラグ）として設定されている。さらにＢＢ１状態では、ＣＢを入賞させてもＣＢが単独作動するため、１回のボーナス遊技でＣＢは終了してしまう。このため、ＣＢは、遊技者に対する利益の観点からは、実質的には小役と同じ扱いとなる。
【００７４】
またＢＢ２状態では、ＢＢ２の入賞に伴い、ＣＢが連続作動する。このため、ＢＢ２状態では、原則的には、所定枚数を超えるメダルが払い出されるまでＣＢ状態が継続し、小役のフラグが抽選結果に関わらず内部当選状態に設定される。このため本実施形態の手法によれば、遊技者は、ＢＢ２状態において小役を連続的に入賞させて短期間で手持ちのメダルを増やすことができる。
【００７５】
ところで、ＢＢ１状態は、ＢＢ２状態と同じように、原則として所定枚数（２５３枚以下の予め定められた枚数）を超えるメダルの払出しが完了するまで終了しない遊技状態であるため、通常状態からＢＢ１状態に移行してしまうと、通常状態よりもメダルが消費しやすい遊技区間からなかなか抜け出すことができなくなる。ただし、ＢＢ１状態では、そのような遊技者にとって不利な状態から抜け出すための救済策として一般状態及びＣＢ状態のいずれにおいてもＲＢを抽選しており、ＲＢに当選した場合には、通常状態（ＲＢ入賞待機状態）へ復帰することができるようになっている。すなわち、通常状態でＢＢ１に当選してしまった場合には、ＢＢ１のフラグが持越可能フラグであって、当選した遊技で入賞を逃したとしても、ＢＢ１入賞待機状態では、ＲＢやＢＢ２などの他のボーナスの抽選が行われなくなるため、遊技者は、自身に不利な遊技区間であるＢＢ１を入賞させざるを得なくなる。しかし、ＢＢ１状態に移行しても、ＲＢの当選により、所定枚数を超えるメダルの払出しという条件を満たさなくともＢＢ２の当選機会が得られる通常状態へ復帰することができるようになっている。
【００７６】
本実施形態の手法では、上述したように通常状態からＢＢ１状態又はＢＢ２状態へ高確率に移行させることにより通常状態をいわゆるボーナス高確率当選区間に設定しているが、ＢＢ１状態は、メダルを消費しやすい遊技区間に設定され、ＢＢ２状態は、メダルを獲得しやすい遊技区間に設定されているため、ＢＢ１状態とＢＢ２状態とが相互に補完しあう関係を有しており、通常状態においてボーナスが高確率で当選するように抽選を行っていても遊技の健全性を害することはない。また図３中のＬ１に示すように、通常状態とＢＢ１状態との間で遊技状態が繰返し遷移するようなループ状態に陥っても、ＢＢ１状態でＲＢを抽選しており、ＲＢの当選に基づいて通常状態へ復帰することができるように制御しているので、遊技者が著しく不利になるような事態を救済することができる。一方で、図３中のＬ２に示すように、通常状態とＢＢ２状態との間で遊技状態が繰返し遷移するようなループ状態では、メダルの大量獲得が可能となるので、遊技者の関心を強く惹きつけることができる。ただし、図３中のＬ２に示すようなループ状態が長く続くようであると、遊技の健全性の観点から好ましくない場合もあるため、ＢＢ２状態でもＲＢの抽選を行ってＲＢの当選に基づきＢＢ２状態が強制終了するように制御することによっても、遊技の健全性を担保することができる。
【００７７】
また本実施形態の手法によれば、複数種類ある遊技状態の中でもＢＢ１状態に長期間滞在しやすくなり、リプレイを抽選していない期間が遊技機の稼働期間の中で長期間に渡るため、結果として小役の入賞によるメダルの払出しの割合が高くなって、チャレンジボーナスによるメダルの払出しの割合を低下させることができる。
【００７８】
続いて図５のフローチャートを参照しながら本実施形態の手法を実現する遊技機の制御処理の例を説明する。
【００７９】
まず本実施形態の遊技機では、初期設定で通常状態に設定され、通常状態での遊技が実行される（ステップＳ１０）。そして通常状態中に第１ビックボーナスＢＢ１に当選して（ステップＳ１１でＹ）、ＢＢ１図柄が有効ライン上に揃って停止することによりＢＢ１が入賞すると（ステップＳ１２でＹ）、遊技状態が通常状態からＢＢ１状態へ移行する（ステップＳ１３）。
【００８０】
ＢＢ１状態では、まず一般状態に移行して、チャレンジボーナス（ＣＢ）、レギュラーボーナス（ＲＢ）、及び小役の抽選を行っており、ＣＢに当選して（ステップＳ１４でＹ）、ＣＢ図柄が有効ライン上に揃って停止することによりＣＢが入賞すると（ステップＳ１５でＹ）、ＣＢが単独作動する（ステップＳ１６）。すなわち、小役のフラグが抽選結果に関わらず内部当選状態となり、第１リールＲ１〜第３リールＲ３の少なくとも１つ以上のリールが無制御状態となるＣＢ状態でのボーナス遊技が１回に限り実行される。またＢＢ１状態においてＲＢに当選した場合には（ステップＳ１７でＹあるいはステップＳ１９でＹ）、ＢＢ１状態を終了させてＲＢの入賞を待機する状態へ移行する（ＢからステップＳ２９へ）。またＢＢ１状態において小役に当選した場合には（ステップＳ２０でＹ）、小役図柄が有効ライン上に揃って停止することにより小役の入賞（ステップＳ２１でＹ）に伴いメダルの払出しが行われる。そしてＢＢ１状態は、所定枚数を超えるメダルが払い出されるまで継続し（ステップＳ１８でＮ、ステップＳ１３へ）、所定枚数を超えるメダルが払い出されたら（ステップＳ１８でＹ）、ＢＢ１状態を終了して通常状態へ復帰する（ＡからステップＳ１０へ）。
【００８１】
次に通常状態（ステップＳ１０）において、第２ビックボーナスＢＢ２に当選して（ステップＳ２２でＹ）、ＢＢ２図柄が有効ライン上に揃って停止することによりＢＢ２が入賞すると（ステップＳ２３でＹ）、遊技状態が通常状態からＢＢ２状態へ移行する（ステップＳ２４）。
【００８２】
ＢＢ２状態では、ＢＢ２の入賞に伴いＢＢ２状態の終了条件を満たすまでＣＢが連続作動する（ステップＳ２５）。なおＢＢ２状態においてＲＢに当選した場合には（ステップＳ２６でＹ）、ＢＢ２状態を終了させてＲＢの入賞を待機する状態へ移行する（ＢからステップＳ２９へ）。そしてＢＢ２状態も、所定枚数を超えるメダルが払い出されるまで継続し（ステップＳ２７でＮ、ステップＳ２４へ）、所定枚数を超えるメダルが払い出されたら（ステップＳ２７でＹ）、ＢＢ１状態を終了して通常状態へ復帰する（ＡからステップＳ１０へ）。
【００８３】
次に、通常状態、ＢＢ１状態、あるいはＢＢ２状態においてＲＢに当選して（ステップＳ１９でＹ、ステップＳ２６でＹ、あるいはステップＳ２８でＹ）、ＲＢ図柄が有効ライン上に停止することによりＲＢが入賞すると（ステップＳ２９でＹ）、遊技状態がＲＢ状態へ移行する（ステップＳ３０）。
【００８４】
ＲＢ状態では、小役の種類や入賞率がアップしたボーナス遊技が実行され、８回の小役の入賞が達成された場合（ステップＳ３１でＹ）、あるいは１２ゲームのＲＢ遊技が消化された場合（ステップＳ３２でＹ）にはＲＢ状態が終了して通常状態へ復帰する（ＡからステップＳ１０へ）。
【００８５】
なお、本発明は、上記の実施形態で説明したものに限らず、種々の変形実施が可能である。
【００８６】
まず上記実施形態では、通常状態においてチャレンジボーナス（ＣＢ）の抽選を行っていない場合を例にとり説明を行ったが、通常状態でＣＢを抽選するようにしてもよい。この場合、通常状態では、図６（Ａ）に示すような抽選テーブルを用いて抽選を行い、ＢＢ１状態の一般状態では、図６（Ｂ）に示すような抽選テーブルを用いて抽選を行うようにすればよい。このとき図６（Ａ）及び図６（Ｂ）に示すように一般状態では、通常状態に比べてＣＢの当選確率が上昇するように抽選テーブルを設定することが好ましい。このようにしてもＢＢ１状態の一般状態では、通常状態に比べてリプレイの当選機会が失われる分だけ遊技者にとって不利な遊技状態となる。
【００８７】
また上記実施形態では、ＢＢ２に入賞した場合には、その入賞に伴いＣＢが連続作動するＢＢ２状態へ移行する場合を例にとり説明を行ったが、図７に示すように、ＢＢ２状態においても一般状態とＣＢが単独作動するＣＢ状態とを設定するようにしてもよい。この場合には、ＢＢ１状態の一般状態では、図８（Ａ）に示すような抽選テーブルを用いて低確率でＣＢに当選するように抽選を行い、ＢＢ２状態の一般状態では、図８（Ｂ）に示すような抽選テーブルを用いて高確率でＣＢに当選するように抽選を行うようにすればよい。具体的には、各一般状態の抽選テーブルにおいてＣＢの当選に割り当てられる乱数値の総数をＢＢ２状態の一般状態の方がＢＢ１状態の一般状態よりも大きくなるようにすればよい。
【００８８】
また図７に示した例では、ＢＢ２状態の一般状態で抽選されるＣＢは、１回のボーナス遊技で終了するいわゆる単独作動の役であったが、ＢＢ２状態の一般状態で抽選されるＣＢは、入賞後は所定枚数を超えるメダルが払い出されるまで連続作動させる役としてもよい。
【００８９】
また上記実施形態や上記変形例では、ＢＢ２がＣＢを利用するボーナスであったが、ＢＢ２は、所定枚数を超えるメダルが払い出されるまでＲＢに繰返し入賞することが可能なボーナスであってもよい。この場合には、ＢＢ２状態において一般状態を設定し、その一般状態では、通常状態よりも高確率でＲＢに当選するように抽選を行えばよい。またこの場合には、上記実施形態とは異なり、ＲＢの当選によってＢＢ２状態を終了させないようにすればよい。
【００９０】
また上記実施形態では、ＢＢ１状態やＢＢ２状態を強制終了させる契機となる役としてＲＢを利用する場合を例に取り説明したが、ＲＢの代わりに１回に限り小役の種類や小役の入賞率を上昇させたボーナス遊技を実行するシングルボーナス（ＳＢ）をＢＢ１状態やＢＢ２状態を強制終了させる契機となる役として利用してもよい。またＢＢ１状態あるいはＢＢ２状態では、ＲＢ、ＳＢの双方を抽選して、何れか一方でも当選した場合には、ＢＢ１状態あるいはＢＢ２状態を強制終了させるように遊技状態の制御を行うようにしてもよい。
【００９１】
また上記実施形態では、ＢＢ１状態の一般状態では、リプレイを抽選しない場合を例に取り説明を行ったが、ＢＢ１状態の一般状態でもリプレイを抽選するようにしてもよい。この場合には、ＢＢ１状態の一般状態におけるリプレイの当選確率が通常状態よりも低確率となるようにしてもよい。
【００９２】
また上記実施形態や変形例で紹介した以外の遊技状態を設定してもよい。例えば、特定の役に当選した場合にこれを貯留させた後、所定の条件に基づき貯留された役を放出するストックタイム状態（ＳＴ状態）や、貯留された役の放出確率が高くなる放出高確率状態を設定してもよい。また例えば、入賞に伴い次回の遊技に際してメダルの投入が不要となるリプレイ（再遊技役）の当選確率が上昇するリプレイタイム（ＲＴ状態）を設定してもよい。また例えば、当選小役の種類や当選小役の入賞に必要な停止操作の態様を報知するアシストタイム状態（ＡＴ状態）を設定してもよい。また例えば、ＳＴ状態、ＲＴ状態、及びＡＴ状態などの特殊な遊技状態への移行確率が一定区間の遊技で高くなる遊技状態などを設定してもよい。
【符号の説明】
【００９３】
ＢＸ  収納箱、ＵＤ  前面上扉、ＤＤ  前面下扉、ＤＷ  表示窓、
ＤＳ  遊技情報表示部、ＬＣＤ  液晶ディスプレイ、
Ｒ１  第１リール、Ｒ２  第２リール、Ｒ３  第３リール、
Ｂ０  ベットボタン、ＳＬ  スタートレバー、Ｂ１〜Ｂ３  ストップボタン、
ＭＩ  メダル投入口、ＭＯ  メダル払い出し口、ＭＰ  メダル受け皿、
１００  遊技制御手段、１１０  乱数発生手段、１２０  抽選手段、
１３０  リール停止制御手段、１４０  入賞判定手段、１５０  払出制御手段、
１６０  リプレイ処理手段、１７０  遊技状態移行制御手段、１８０  演出制御手段、
１９０  記憶手段、１９２  抽選テーブル記憶手段、１９４  フラグ記憶手段、
１９６  停止制御テーブル記憶手段、１９８  入賞判定テーブル記憶手段、
２１０  メダル投入スイッチ、２２０  ベットスイッチ、２３０  スタートスイッチ、
２４０  ストップスイッチ、３１０  リールユニット、３２０  ホッパーユニット、
３３０  表示装置、３４０  スピーカ
【図１】
2010227694.tif 000003
【図２】
2010227694.tif 000004
【図３】
2010227694.tif 000005
【図４】
2010227694.tif 000006
【図５】
2010227694.tif 000007
【図６】
2010227694.tif 000008
【図７】
2010227694.tif 000009
【図８】
2010227694.tif 000010